【手続補正書】
【提出日】平成24年10月9日(2012.10.9)
【手続補正１】
【補正対象書類名】明細書
【補正対象項目名】発明の名称
【補正方法】変更
【補正の内容】
【発明の名称】投影制御装置及び投影制御方法、並びに投影制御用コンピュータプログラム
【手続補正２】
【補正対象書類名】明細書
【補正対象項目名】０００６
【補正方法】変更
【補正の内容】
【０００６】
１つの態様に係る投影制御装置は、プロジェクタに画像を投影させる投影制御装置において、前記プロジェクタによって投影される第１の画像に向けられる指示を検出する検出部と、前記指示に基づいて前記第１の画像に含まれる第１のオブジェクトを抽出する抽出部と、前記第１の画像の前記第１のオブジェクトに指示指標が追加された第２の画像を前記プロジェクタに投影させる投影部とを備える。
【手続補正３】
【補正対象書類名】明細書
【補正対象項目名】０００７
【補正方法】変更
【補正の内容】
【０００７】
好ましい態様としては、前記第１のオブジェクトを含む第１の領域を生成する領域生成部をさらに備え、前記投影部は、前記指示が前記第１の領域内で第１の時間継続して検出された場合に、前記第２の画像を前記プロジェクタに投影させることが好ましい。 
【手続補正４】
【補正対象書類名】明細書
【補正対象項目名】０００８
【補正方法】変更
【補正の内容】
【０００８】
好ましい態様としては、前記領域生成部は、前記指標が前記第１の領域内で第２の時間継続して検出されない場合に、前記第１の領域を消去することが好ましい。
【手続補正５】
【補正対象書類名】明細書
【補正対象項目名】０００９
【補正方法】変更
【補正の内容】
【０００９】
好ましい態様としては、前記投影部は、前記第１の画像の投影位置での寸法、前記第１の画像に占める前記第１のオブジェクトの割合、および指示者と前記第１の画像の投影位置との距離の少なくとも１つに基づいて、前記第１の時間および前記第２の時間の少なくとも一方を決定することが好ましい。 
【手続補正６】
【補正対象書類名】明細書
【補正対象項目名】００１０
【補正方法】変更
【補正の内容】
【００１０】
好ましい態様としては、前記領域生成部は、前記第１の画像の投影位置での寸法、前記第１の画像に占める前記第１のオブジェクトの割合、および指示者と前記第１の画像の投影位置との距離の少なくとも１つに基づいて、前記第１の領域の寸法を決定することが好ましい。
【手続補正７】
【補正対象書類名】明細書
【補正対象項目名】００１１
【補正方法】変更
【補正の内容】
【００１１】
好ましい態様としては、前記投影部は、前記第１のオブジェクトが文字および数字の少なくとも一方を含む場合に、前記文字および数字の少なくとも一方のフォントを変更することによって前記第１のオブジェクトに前記指示指標を追加することが好ましい。 
【手続補正８】
【補正対象書類名】明細書
【補正対象項目名】００１２
【補正方法】変更
【補正の内容】
【００１２】
好ましい態様としては、前記領域生成部は、前記指示指標が追加された前記第１のオブジェクトに隣接する第２のオブジェクトを含む第２の領域を生成し、前記投影部は、前記第２の領域内で前記指示が検出された場合に、前記第２の画像の前記第２のオブジェクトに前記指示指標が追加された画像を前記プロジェクタに投影させることが好ましい。 
【手続補正９】
【補正対象書類名】明細書
【補正対象項目名】００１３
【補正方法】変更
【補正の内容】
【００１３】
好ましい態様としては、前記投影部は、前記第１のオブジェクトおよび前記第２のオブジェクトに同様の前記指示指標を追加することが好ましい。 
【手続補正１０】
【補正対象書類名】明細書
【補正対象項目名】００１４
【補正方法】変更
【補正の内容】
【００１４】
好ましい態様としては、前記領域生成部は、前記第１のオブジェクトに所定の方向で隣接する前記第２のオブジェクトを含む前記第２の領域を生成することが好ましい。 
【手続補正１１】
【補正対象書類名】明細書
【補正対象項目名】００１５
【補正方法】変更
【補正の内容】
【００１５】
好ましい態様としては、前記投影部は、前記指示指標が前記第１のオブジェクトに追加されているときに前記指示が前記第１の領域内で第３の時間継続して検出された場合に、前記第２の画像の前記第１のオブジェクトに別の指示指標が追加された画像を前記プロジェクタに投影させることが好ましい。 
【手続補正１２】
【補正対象書類名】明細書
【補正対象項目名】００１６
【補正方法】変更
【補正の内容】
【００１６】
好ましい態様としては、前記投影部は、前記指示指標が前記第１のオブジェクトに追加されているときに前記指示が前記第１の領域内で第４の時間継続して検出された場合に、前記第２の画像の前記第１のオブジェクトから前記指示指標が削除された画像を前記プロジェクタに投影させることが好ましい。 
【手続補正１３】
【補正対象書類名】明細書
【補正対象項目名】００１７
【補正方法】変更
【補正の内容】
【００１７】
好ましい態様としては、声を入力する音声入力手段をさらに備え、前記投影部は、前記指示指標が前記第１のオブジェクトに追加されているときに特定の種類の声が前記音声入力手段に入力された場合に、前記第２の画像の前記第１のオブジェクトから前記指示指標が削除された画像を前記プロジェクタに投影させることが好ましい。
【手続補正１４】
【補正対象書類名】明細書
【補正対象項目名】００１８
【補正方法】変更
【補正の内容】
【００１８】
好ましい態様としては、前記投影部は、複数の指示指標が追加された画像が投影されているときに前記特定の種類の声が前記音声入力手段に入力された場合に、前記複数の指示指標が削除された画像を前記プロジェクタに投影させることが好ましい。
【手続補正１５】
【補正対象書類名】明細書
【補正対象項目名】００１９
【補正方法】変更
【補正の内容】
【００１９】
好ましい態様としては、前記検出部は、前記第１の画像を投影させるための第１の画像情報と、前記プロジェクタによって投影される前記第１の画像を撮像することによって得られる第２の画像情報とを比較することによって、前記指示を検出することが好ましい。
【手続補正１６】
【補正対象書類名】明細書
【補正対象項目名】００２０
【補正方法】変更
【補正の内容】
【００２０】
好ましい態様としては、前記プロジェクタに前記第１の画像情報を出力する出力部と、撮像部から前記第２の画像情報を入力する入力部とをさらに備えることが好ましい。
好ましい態様としては、前記プロジェクタによって投影される画像を撮像する撮像部をさらに備え、前記検出部は、前記撮像部から前記第２の画像情報を得ることが好ましい。
好ましい態様としては、通信回線を介して前記第１の画像情報を得るための通信部をさらに備え、前記投影部は、前記通信部によって取得された前記第１の画像情報に基づいて前記プロジェクタに前記第１の画像を投影させることが好ましい。 
【手続補正１７】
【補正対象書類名】明細書
【補正対象項目名】００２１
【補正方法】変更
【補正の内容】
【００２１】
１つの態様に係る投影制御方法は、投影制御方法において、プロジェクタに第１の画像を投影させるステップと、前記プロジェクタによって投影される第１の画像に向けられる指示を検出するステップと、前記指示に基づいて前記第１の画像に含まれる第１のオブジェクトを抽出するステップと、前記第１の画像の前記第１のオブジェクトに指示指標が追加された第２の画像を前記プロジェクタに投影させるステップとを含む。
好ましい態様としては、前記第１のオブジェクトを含む第１の領域を生成するステップをさらに含み、前記第２の画像を前記プロジェクタに投影させるステップにおいては、前記指示が前記第１の領域内で第１の時間継続して検出された場合に、前記第２の画像を前記プロジェクタに投影させることが好ましい。
好ましい態様としては、前記検出するステップにおいては、前記第１の画像がそれに基づいて投影される情報である第１の画像情報と、前記プロジェクタによって投影される前記第１の画像を撮像することによって得られる第２の画像情報とを比較することによって、前記指示を検出することが好ましい。
【手続補正１８】
【補正対象書類名】明細書
【補正対象項目名】００２２
【補正方法】変更
【補正の内容】
【００２２】
１つの態様に係る投影制御用コンピュータプログラムは、コンピュータに、プロジェクタに第１の画像を投影させるステップと、前記プロジェクタによって投影される第１の画像に向けられる指示を検出するステップと、前記指示に基づいて前記第１の画像に含まれる第１のオブジェクトを抽出するステップと、前記第１の画像の前記第１のオブジェクトに指示指標が追加された第２の画像を前記プロジェクタに投影させるステップとを実行させる投影制御用コンピュータプログラムである。
【手続補正１９】
【補正対象書類名】特許請求の範囲
【補正対象項目名】全文
【補正方法】変更
【補正の内容】
【特許請求の範囲】
【請求項１】
プロジェクタに画像を投影させる投影制御装置において、
前記プロジェクタによって投影される第１の画像に向けられる指示を検出する検出部と、
前記指示に基づいて前記第１の画像に含まれる第１のオブジェクトを抽出する抽出部と、
前記第１の画像の前記第１のオブジェクトに指示指標が追加された第２の画像を前記プロジェクタに投影させる投影部と
を備える投影制御装置。
【請求項２】
前記第１のオブジェクトを含む第１の領域を生成する領域生成部をさらに備え、
前記投影部は、前記指示が前記第１の領域内で第１の時間継続して検出された場合に、前記第２の画像を前記プロジェクタに投影させる請求項１に記載の投影制御装置。
【請求項３】
前記領域生成部は、前記指標が前記第１の領域内で第２の時間継続して検出されない場合に、前記第１の領域を消去する請求項２に記載の投影制御装置。
【請求項４】
前記投影部は、前記第１の画像の投影位置での寸法、前記第１の画像に占める前記第１のオブジェクトの割合、および指示者と前記第１の画像の投影位置との距離の少なくとも１つに基づいて、前記第１の時間および前記第２の時間の少なくとも一方を決定する請求項３に記載の投影制御装置。
【請求項５】
前記領域生成部は、前記第１の画像の投影位置での寸法、前記第１の画像に占める前記第１のオブジェクトの割合、および指示者と前記第１の画像の投影位置との距離の少なくとも１つに基づいて、前記第１の領域の寸法を決定する請求項２または３に記載の投影制御装置。
【請求項６】
前記投影部は、前記第１のオブジェクトが文字および数字の少なくとも一方を含む場合に、前記文字および数字の少なくとも一方のフォントを変更することによって前記第１のオブジェクトに前記指示指標を追加する請求項２から５のいずれか１項に記載の投影制御装置。
【請求項７】
前記領域生成部は、前記指示指標が追加された前記第１のオブジェクトに隣接する第２のオブジェクトを含む第２の領域を生成し、
前記投影部は、前記第２の領域内で前記指示が検出された場合に、前記第２の画像の前記第２のオブジェクトに前記指示指標が追加された画像を前記プロジェクタに投影させる請求項２から６のいずれか１項に記載の投影制御装置。
【請求項８】
前記投影部は、前記第１のオブジェクトおよび前記第２のオブジェクトに同様の前記指示指標を追加する請求項７に記載の投影制御装置。
【請求項９】
前記領域生成部は、前記第１のオブジェクトに所定の方向で隣接する前記第２のオブジェクトを含む前記第２の領域を生成する請求項７又は８に記載の投影制御装置。
【請求項１０】
前記投影部は、前記指示指標が前記第１のオブジェクトに追加されているときに前記指示が前記第１の領域内で第３の時間継続して検出された場合に、前記第２の画像の前記第１のオブジェクトに別の指示指標が追加された画像を前記プロジェクタに投影させる請求項２から９のいずれか１項に記載の投影制御装置。
【請求項１１】
前記投影部は、前記指示指標が前記第１のオブジェクトに追加されているときに前記指示が前記第１の領域内で第４の時間継続して検出された場合に、前記第２の画像の前記第１のオブジェクトから前記指示指標が削除された画像を前記プロジェクタに投影させる請求項２から１０のいずれか１項に記載の投影制御装置。
【請求項１２】
声を入力する音声入力手段をさらに備え、
前記投影部は、前記指示指標が前記第１のオブジェクトに追加されているときに特定の種類の声が前記音声入力手段に入力された場合に、前記第２の画像の前記第１のオブジェクトから前記指示指標が削除された画像を前記プロジェクタに投影させる請求項１から１１のいずれか１項に記載の投影制御装置。
【請求項１３】
前記投影部は、複数の指示指標が追加された画像が投影されているときに前記特定の種類の声が前記音声入力手段に入力された場合に、前記複数の指示指標が削除された画像を前記プロジェクタに投影させる請求項１２に記載の投影制御装置。
【請求項１４】
前記検出部は、前記第１の画像を投影させるための第１の画像情報と、前記プロジェクタによって投影される前記第１の画像を撮像することによって得られる第２の画像情報とを比較することによって、前記指示を検出する請求項１から１３のいずれか１項に記載の投影制御装置。
【請求項１５】
前記プロジェクタに前記第１の画像情報を出力する出力部と、
撮像部から前記第２の画像情報を入力する入力部とをさらに備える請求項１４に記載の投影制御装置。
【請求項１６】
前記プロジェクタによって投影される画像を撮像する撮像部をさらに備え、
前記検出部は、前記撮像部から前記第２の画像情報を得る請求項１４に記載の投影制御装置。
【請求項１７】
通信回線を介して前記第１の画像情報を得るための通信部をさらに備え、
前記投影部は、前記通信部によって取得された前記第１の画像情報に基づいて前記プロジェクタに前記第１の画像を投影させる請求項１４に記載の投影制御装置。
【請求項１８】
投影制御方法において、
プロジェクタに第１の画像を投影させるステップと、
前記プロジェクタによって投影される第１の画像に向けられる指示を検出するステップと、
前記指示に基づいて前記第１の画像に含まれる第１のオブジェクトを抽出するステップと、
前記第１の画像の前記第１のオブジェクトに指示指標が追加された第２の画像を前記プロジェクタに投影させるステップと
を含む投影制御方法。
【請求項１９】
前記第１のオブジェクトを含む第１の領域を生成するステップをさらに含み、
前記第２の画像を前記プロジェクタに投影させるステップにおいては、前記指示が前記第１の領域内で第１の時間継続して検出された場合に、前記第２の画像を前記プロジェクタに投影させる請求項１８に記載の投影制御方法。
【請求項２０】
前記検出するステップにおいては、前記第１の画像がそれに基づいて投影される情報である第１の画像情報と、前記プロジェクタによって投影される前記第１の画像を撮像することによって得られる第２の画像情報とを比較することによって、前記指示を検出する請求項１９に記載の投影制御方法。
【請求項２１】
コンピュータに、
プロジェクタに第１の画像を投影させるステップと、
前記プロジェクタによって投影される第１の画像に向けられる指示を検出するステップと、
前記指示に基づいて前記第１の画像に含まれる第１のオブジェクトを抽出するステップと、
前記第１の画像の前記第１のオブジェクトに指示指標が追加された第２の画像を前記プロジェクタに投影させるステップと
を実行させる投影制御用コンピュータプログラム。